(57)【要約】【課題】生産性を向上できるＸ線画像検出器11を提供する。【解決手段】Ｘ線画像検出器11は、Ｘ線を検出するＸ線検出素子12、Ｘ線検出素子12を収容するケース14、Ｘ線検出素子12とケース14との間の隙間15を封止する樹脂シート16を備える。これらＸ線検出素子12、ケース14および樹脂シート16を含む全体を保護体17で覆う。樹脂シート16は、加熱による軟化によってＸ線検出素子12の表面およびケース14の表面に貼り付ける。【選択図】図１
2010060442.tif 000002
【特許請求の範囲】
【請求項１】
放射線を検出する放射線検出素子と、
この放射線検出素子を収容するケースと、
前記放射線検出素子とケースとの間の隙間を封止する樹脂シートと、
前記放射線検出素子、ケースおよび樹脂シートを含む全体を覆う保護体と
を具備していることを特徴とする放射線検出器。
【請求項２】
放射線検出素子は、放射線を光に変換するシンチレータ部とこのシンチレータ部で変換された光を電気信号に変換する光電変換基板とを備え、シンチレータ部がケースの内側に向けられてケースに収容され、
樹脂シートは、放射線検出素子の光電変換基板とケースとの間を封止する
ことを特徴とする請求項１記載の放射線検出器。
【請求項３】
樹脂シートは、加熱による軟化によって放射線検出素子の表面およびケースの表面に貼り付けられている
ことを特徴とする請求項１または２記載の放射線検出器。
【発明の詳細な説明】
【技術分野】
【０００１】
本発明は、放射線を検出する放射線検出器に関する。
【背景技術】
【０００２】
歯科医院もしくは歯科診療所では、歯牙等のＸ線撮影のために放射線検出器として歯科用のＸ線画像検出器が用いられている（例えば、特許文献１参照。）。
【０００３】
このＸ線画像検出器では、Ｘ線検出素子をケースに収容して保護するとともに、Ｘ線検出素子とケースとの間の隙間を封止して湿気から保護している。
【０００４】
従来、Ｘ線検出素子とケースとの間の隙間を封止するには、その隙間にエポキシ樹脂やシリコン樹脂等の樹脂充填材を充填して硬化させることが一般的であった。
【特許文献１】特開２００２−２１９１２６号公報（第２頁、図１−２）
【発明の開示】
【発明が解決しようとする課題】
【０００５】
しかしながら、従来のＸ線画像検出器では、Ｘ線検出素子とケースとの間の隙間を封止するのにエポキシ樹脂やシリコン樹脂等の樹脂充填材を充填しているが、これら樹脂充填材は充填してからの硬化時間が３０分〜１日程度かかり、また、樹脂充填材の取り扱いに手間がかかり、生産性が悪い問題があった。
【０００６】
本発明は、このような点に鑑みなされたもので、生産性を向上できる放射線検出器を提供することを目的とする。
【課題を解決するための手段】
【０００７】
本発明は、放射線を検出する放射線検出素子と、この放射線検出素子を収容するケースと、前記放射線検出素子とケースとの間の隙間を封止する樹脂シートと、前記放射線検出素子、ケースおよび樹脂シートを含む全体を覆う保護体とを具備しているものである。
【発明の効果】
【０００８】
本発明によれば、放射線検出素子とケースとの間の隙間を樹脂シートで封止するため、エポキシ樹脂やシリコン樹脂等の樹脂充填材を用いる場合に比べて、生産性を向上できる。
【発明を実施するための最良の形態】
【０００９】
以下、本発明の一実施の形態を、図面を参照して説明する。
【００１０】
図１は放射線検出器の断面図、図２は放射線検出器の放射線検出素子およびケースに沿って樹脂シートを配置した状態の平面図である。
【００１１】
図１において、11は放射線検出器としてのＸ線画像検出器で、このＸ線画像検出器11は、例えば歯科用で、歯牙等のＸ線照射画像を検出する放射線検出素子としてのＸ線検出素子12、このＸ線検出素子12に接続されたケーブル13、Ｘ線検出素子12を収容するケース14、Ｘ線検出素子12とケース14との間の隙間15を封止する樹脂シート16、およびケーブル13のみを外部へ引き出してこれら全体を覆う保護体17を備えている。
【００１２】
Ｘ線検出素子12は、センサ部である光電変換基板21とこの光電変換基板21上に形成されたシンチレータ部22とを備えている。シンチレータ部22は、入射するＸ線画像を光画像に変換して光電変換基板21に伝達する。光電変換基板21は、ＣＣＤやＣＭＯＳなどで構成される撮像素子を備え、シンチレータ部22で変換された光画像を電気信号に変換する。
【００１３】
ケーブル13は、Ｘ線検出素子12と外部の機器とを接続し、Ｘ線検出素子12に対して電気信号を入出力する。
【００１４】
ケース14は、基板部25、この基板部25の周縁部から一面側に突出する縁部26を有し、一面側に開口する箱形に形成されている。このケース14には、Ｘ線検出素子12のシンチレータ部22が基板部25に対向するようにケース14の内側に向けられて、Ｘ線検出素子12が収容されている。Ｘ線検出素子12の光電変換基板21の外周部とケース14の縁部26の内周部との間に隙間15がある。
【００１５】
また、樹脂シート16は、例えばポリエチレン等の薄いシートで構成されており、この樹脂シート16の形状は、図２に示すように、少なくともＸ線検出素子12とケース14との間の隙間15を覆って封止可能とするために、Ｘ線検出素子12とケース14との間の隙間15の形状に合わせた四角形枠状に形成してもよい。ただし、隙間15を跨いでＸ線検出素子12とケース14に貼り付けることが可能な寸法に形成しなければならない。
【００１６】
樹脂シート16は、８０〜１００数十℃で加熱して軟化させながら、Ｘ線検出素子12の光電変換基板21の表面およびケース14の縁部の表面（外周面）に加重することにより、しわがない状態Ｘ線検出素子12の光電変換基板21の表面およびケース14の縁部の表面（外周面）に貼り付けることができる。
【００１７】
樹脂シート16の貼り付けに要する時間は、樹脂シート16が軟化して貼り付くまでであるため、５分以内であり、１日あたりの生産性を向上させることができる。
【００１８】
薄い樹脂シート16であるため、部品化しやすく、従来のエポキシ樹脂やシリコン樹脂等の樹脂充填剤のように塗布・脱泡等という取り扱いの面倒さを省くことができる。
【００１９】
薄い樹脂シート16は、柔らかく防湿性に富んでいるため、Ｘ線検出素子12とケース14との熱膨張差を吸収することによる封止の安定性と、封止後のＸ線検出素子12の信頼性の向上を実現できる。
【００２０】
また、保護体17は、樹脂材で、ケーブル13のみを外部へ引き出してＸ線検出素子12およびケース14の全体を覆って固定するようにモールド成形によって形成されている。なお、モールド成形では、Ｘ線検出素子12およびケース14等を配置した金型内に溶融樹脂を注入するが、金型内に注入された溶融樹脂は金型等との接触によって瞬時に冷却されて固化するため、樹脂シート16への影響はない。
【００２１】
このように構成されたＸ線画像検出器11は、Ｘ線検出素子12とケース14との間の隙間15を樹脂シート16で封止するため、エポキシ樹脂やシリコン樹脂等の樹脂充填材を用いる場合に比べて、製造時間を短縮でき、樹脂シート16の取扱いを容易にでき、生産性を向上できる。
【００２２】
なお、Ｘ線画像検出器11は、歯科用以外に、患者診断や治療に使用する医療用、非破壊検査などの工業用、構造解析などの科学研究用等の用途にも適用できる。
【図面の簡単な説明】
【００２３】
【図１】本発明の一実施の形態を示す放射線検出器の断面図である。
【図２】同上放射線検出器の放射線検出素子およびケースに沿って樹脂シートを配置した状態の平面図である。
【符号の説明】
【００２４】
11    放射線検出器としてのＸ線画像検出器
12    放射線検出素子としてのＸ線検出素子
14    ケース
15    隙間
16    樹脂シート
17    保護体
21    光電変換基板
22    シンチレータ部
【図１】
2010060442.tif 000003
【図２】
2010060442.tif 000004